(57)【要約】  空気調和機(1)は、本体(1a)と、本体(1a)の下端に取り付けられ、天井から室内に露出されるとともに細長い吹出口(7)が設けられた化粧パネル(2)と、吹出口(7)に設けられ、吹出口(7)に合致する細長い形状を有する平板状のフラップ(8)と、を具備している。フラップ(8)は、室内に露出される化粧面(8a)と、化粧面(8a)の裏側に位置された裏面(8b)と、裏面(8b)の長手方向に沿う中間に設けられた補強部(11)と、を含む。補強部(11)は、裏面(8b)と向かい合う補強板(11a)を有し、補強板(11a)と裏面(8b)との間に吹出口(7)から吹き出す空気が通過するとともに当該空気を絞る風路(12)が設けられている。
2015111281.tif 000002
【特許請求の範囲】
【請求項１】
天井裏に据え付けられた本体と、
前記本体の下端に取り付けられ、天井から室内に露出されるとともに、室内に空気を吹き出す細長い吹出口が設けられた化粧パネルと、
前記吹出口に設けられ、前記吹出口に合致する細長い形状を有するとともに、前記吹出口の内側で回動することにより前記吹出口から吹き出す空気の吹き出し方向を変化させる平板状のフラップと、を具備し、
前記フラップは、室内に露出される化粧面と、前記化粧面の裏側に位置された裏面と、前記裏面の長手方向に沿う中間に設けられ、前記フラップを補強する補強部と、を含み、
前記補強部は、前記フラップの前記裏面と向かい合う補強板を有し、当該補強板と前記裏面との間に前記吹出口から吹き出す空気が通過するとともに当該空気を絞る風路が設けられた空気調和機。
【請求項２】
前記補強部の前記風路を通過する空気の流速が、前記フラップの前記裏面の長手方向に沿う両端部に沿って流れる空気の流速よりも大きい請求項１に記載の空気調和機。
【請求項３】
前記フラップは、前記フラップの長手方向に沿う第１の側縁および第２の側縁を有し、前記第１の側縁は、前記フラップの幅方向に沿う中央部よりも前記吹出口から吹き出す空気の流れ方向に沿う上流側に位置し、前記第２の側縁は、前記フラップの幅方向に沿う中央部よりも前記吹出口から吹き出す空気の流れ方向に沿う下流側に位置し、前記補強部が前記第１の側縁に沿って延びている請求項１又は請求項２に記載の空気調和機。
【請求項４】
前記補強部は、前記フラップの前記第２の側縁から離れているとともに、前記フラップの前記裏面は、前記補強部よりも前記吹出口から吹き出す空気の流れ方向に沿う下流に向けて張り出す領域を有する請求項３に記載の空気調和機。
【請求項５】
前記補強板を支えるリブが前記風路内に設けられ、当該リブは前記風路内で前記フラップの幅方向に延びている請求項１ないし請求項４のいずれか一項に記載の空気調和機。
【請求項６】
前記吹出口は、前記吹出口の幅方向に向かい合う内側壁および外側壁を有し、前記内側壁および前記外側壁は、前記吹出口の下方に進むに従い前記化粧パネルの外周部に近づくように傾斜されているとともに、前記外側壁の高さ方向に沿う中間部に前記吹出口から吹き出す空気の流れ方向を下向きに案内する垂直部が設けられた請求項１ないし請求項５のいずれか一項に記載の空気調和機。
【請求項７】
前記外壁部の前記垂直部の真下に前記フラップの前記裏面の前記領域が位置された請求項６に記載の空気調和機。
【請求項８】
前記化粧パネルの前記吹出口は、前記吹出口の長手方向に離間された一対の端面を有し、前記端面は垂直に起立されているとともに、前記端面と隣り合う前記吹出口の内側に、前記吹出口から吹き出す空気を前記端面を規定する前記化粧パネルの角部の方向に導くブロック部が設けられた請求項１に記載の空気調和機。
【請求項９】
天井裏に据え付けられた本体と、
前記本体の下端に取り付けられ、天井から室内に露出されるとともに、室内に空気を吹き出す細長い吹出口が設けられた化粧パネルと、
前記吹出口に設けられ、前記吹出口に合致する細長い形状を有するとともに、前記吹出口の内側で回動することにより前記吹出口から吹き出す空気の吹き出し方向を変化させる平板状のフラップと、を具備し、
前記フラップは、室内に露出される化粧面と、前記化粧面の裏側に位置された裏面と、前記裏面の長手方向に沿う中間に設けられ、前記フラップを補強する補強部と、を含み、
前記補強部は、前記フラップの前記裏面と向かい合う補強板を有し、当該補強板と前記裏面との間に、前記吹出口から吹き出す空気が通過するとともに当該空気を絞る風路が設けられ、
前記吹出口から吹き出す空気の流れ方向に沿う下流側に位置された前記フラップの側縁に、前記フラップの前記裏面から立ち上がる風向ガイドが設けられた空気調和機。
【請求項１０】
前記フラップは、長手方向に沿う一端に位置された第１の端部と、長手方向に沿う他端に位置された第２の端部と、前記第１の端部と前記第２の端部との間に位置されるとともに前記補強部が設けられた中間部と、を有し、
前記風向ガイドは、前記補強部の位置に対応した中央部と、前記第１の端部の位置に対応した第１の側部と、前記第２の端部に位置に対応した第２の側部と、を含み、前記風向ガイドの前記第１の側部および前記第２の側部の高さが前記中央部の高さよりも低く設定された請求項９に記載の空気調和機。
【請求項１１】
前記風向ガイドの高さが前記フラップの長手方向に沿う全長に亘って一定である請求項９に記載の空気調和機。
【請求項１２】
前記風向ガイドが前記フラップの前記側縁のうち前記補強部に対応する領域にのみ設けられた請求項９に記載の空気調和機。
【請求項１３】
前記フラップの前記裏面のうち前記第１の端部および前記第２の端部に対応した領域に夫々断熱材が設けられた請求項９ないし請求項１２のいずれか一項に記載の空気調和機。
【発明の詳細な説明】
【技術分野】
【０００１】
本発明の実施形態は、天井埋め込み型の空気調和機に係り、特に化粧パネルの吹出口から吹き出す冷風又は温風の吹き出し方向を案内するフラップの構造に関する。
【背景技術】
【０００２】
天井埋め込み型の空気調和機は、天井裏に据え付けられた本体を備えている。本体は、その下面に開口された吸込口を有している。吸込口は、化粧パネルで覆われている。化粧パネルは、天井から室内に露出されている。【０００３】
通常の空気調和機の化粧パネルは、吸込みグリルを有している。吸込みグリルは、四つの辺を有する正方形状に形成されているとともに、前記本体の吸込口と向かい合っている。さらに、化粧パネルは、吸込みグリルの周囲に四つの吹出口を備えている。吹出口は、夫々吸込みグリルの辺に沿って延びる細長い形状を有し、当該吹出口から冷風又は温風が四方向へ吹き出すようになっている。【０００４】
化粧パネルの四つの吹出口に夫々フラップが設けられている。フラップは、冷房運転時に吹出口から吹き出す冷風を水平方向に案内し、暖房運転時には吹出口から吹き出す温風を下方に向けて案内する。【０００５】
従来の空気調和機では、冷房運転時に吹出口から水平方向に導かれる冷風の指向性を高めるため、フラップが下方に向けて張り出すように円弧状に湾曲された断面形状を有している。さらに、フラップは、吹出口の長手方向に離間した第１の端部および第２の端部を有している。第１の端部および第２の端部では、フラップが一定の幅でカットされており、第１および第２の端部の幅がフラップの中央部よりも狭められている。【０００６】
そのため、冷房運転時においても、冷風がフラップの第１の端部および第２の端部から斜め下方に吹き出し、空気中の塵埃が天井を汚すスマッジングの発生を抑制している。【０００７】
従来の空気調和機によると、フラップの第１の端部および第２の端部では、フラップの幅が中央部よりも狭められている。そのため、空気調和機が空調運転を停止してフラップが吹出口を閉じた状態においても、フラップの第１の端部および第２の端部を通じて吹出口の内部が見えてしまうといったデザイン上の課題がある。【０００８】
この課題を解決するため、特許文献１に開示された空気調和機では、吹出口の中央部から吹き出す熱交換された空気が水平方向に向かい、吹出口の両端部から吹き出す空気が斜め下方を向くように吹出口の側壁の形状が規定されている。【０００９】
さらに、吹出口に設けられたフラップが、一つの中央部と一対の両側部とに三分割されている。フラップの中央部は、吹出口から吹き出す冷風を水平方向に案内するための要素であり、中央部の下流端が水平方向を指向するように湾曲されている。フラップの両側部は、吹出口から吹き出す冷風を斜め下向きに案内するための要素であって、両側部の下流端が中央部の下流端よりも下方を指向するように湾曲されている。【００１０】
さらに、フラップの中央部と両側部との間は、フラップの幅方向に延びる一対のスリットで分断されている。具体的に述べると、フラップは、一枚の細長い板材で構成されている。板材は、その長手方向に沿う一方の縁から幅方向に延びる一対のスリットで三つの領域に区画されており、中央の領域が大きな曲率で湾曲されているとともに、中央の領域の両側に位置された二つの領域が中央の領域よりも小さな曲率で湾曲されている。【００１１】
したがって、板材の中央の領域がフラップの中央部を構成し、板材の両側に位置された二つの領域がフラップの両側部を構成している。
【先行技術文献】
【特許文献】
【００１２】
【特許文献１】特開２０１０-２８１５３９号公報
【発明の概要】
【発明が解決しようとする課題】
【００１３】
従来の空気調和機によると、フラップのスリットは、フラップの下流側の縁から上流側の縁に向けて切り込まれており、スリットの終端がフラップの上流側の縁の直前に位置されている。このため、フラップの中央部と両側部との間は、フラップの上流側の縁に連続する僅かな箇所でしか繋がっておらず、フラップの中央部および両側部の大部分がスリットで切り離されている。【００１４】
したがって、フラップの中央部および両側部の形状を保持することが困難となるとともに、フラップの強度的な面でも不安が残る。【００１５】
本発明の目的は、吹出口およびフラップの構造を簡素化しつつ、フラップの強度を十分に確保できる空気調和機を得ることにある。
【課題を解決するための手段】
【００１６】
実施形態によれば、空気調和機は、天井裏に据え付けられた本体と、前記本体の下端に取り付けられ、天井から室内に露出されるとともに、室内に空気を吹き出す細長い吹出口が設けられた化粧パネルと、前記吹出口に設けられ、前記吹出口に合致する細長い形状を有するとともに、前記吹出口の内側で回動することにより前記吹出口から吹き出す空気の吹き出し方向を変化させる平板状のフラップと、を具備している。【００１７】
前記フラップは、室内に露出される化粧面と、前記化粧面の裏側に位置された裏面と、前記裏面の長手方向に沿う中間に設けられ、前記フラップを補強する補強部と、を含む。【００１８】
前記補強部は、前記フラップの前記裏面と向かい合う補強板を有し、当該補強板と前記裏面との間に前記吹出口から吹き出す空気が通過するとともに当該空気を絞る風路が設けられている。
【図面の簡単な説明】
【００１９】
【図１】図１は、第１の実施形態に係る天井埋め込み型の空気調和機を示す斜視図である。
【図２】図２は、第１の実施形態に係る天井埋め込み型の空気調和機を化粧パネルの方向から見た平面図である。
【図３】図３は、吹出口に設置されるフラップの斜視図である。
【図４】図４は、図３のＦ４の箇所を拡大して示すフラップの斜視図である。
【図５】図５は、第１の実施形態において、フラップによって案内された冷風の吹き出し方向を示す空気調和機の断面図である。
【図６】図６は、第２の実施形態に係るフラップの斜視図である。
【図７】図７は、第２の実施形態に係るフラップの変形例１を示す斜視図である。
【図８】図８は、第２の実施形態に係るフラップの変形例２を示す斜視図である。
【図９】図９は、第２の実施形態に係るフラップの変形例３を示す斜視図である。
【図１０】図１０は、第３の実施形態において、吹出口から吹き出す冷風の吹き出し方向を示す空気調和機の断面図である。
【図１１】図１１は、第４の実施形態において、吹出口から吹き出す冷風の吹き出し方向を示す空気調和機の断面図である。
【図１２】図１２は、第５の実施形態において、天井埋め込み型の空気調和機を化粧パネルの方向から見た平面図である。
【図１３】図１３は、第５の実施形態において、化粧パネル、吹出口およびフラップの位置関係を示す斜視図である。
【図１４】図１４は、第５の実施形態において、吹出口から吹き出す冷風の吹き出し経路を示す断面図である。
【図１５】図１５は、本発明と関連性を有する参考例に係る空気調和機の断面図である。
【図１６】図１６は、参考例で用いるフラップの平面図である。
【図１７】図１７は、参考例で用いるフラップの側面図である。
【発明を実施するための形態】
【００２０】
［第１の実施形態］
第１の実施形態について図１ないし図５を参照して説明する。
【００２１】
図１は、天井埋め込み型の空気調和機の斜視図、図２は、天井埋め込み型の空気調和機を化粧パネルの方向から見た平面図である。
【００２２】
空気調和機１は、天井裏に据え付けられた本体１ａと、本体１ａの下端に取り付けられた化粧パネル２と、を主要な要素として備えている。図５に示すように、本体１ａは、天井パネルＡに設けられた開口部Ａ１に室内の側から挿入されるとともに、複数の吊りボルトを介して天井裏の梁から吊り下げられている。
【００２３】
図１に示すように、本体１ａは、板金製のケーシング３を備えている。ケーシング３は、下向きに開口された箱形の要素であって、金属板を加工した天板部３ａおよび側面部３ｂを含んでいる。ケーシング３の内周面は、発泡スチロール材のような断熱材によって全面的に覆われている。したがって、本体１ａは、断熱構造を有している。
【００２４】
本体１ａの内部の略中央部に送風機が配置されている。送風機としては、軸方向から空気を吸い込んで周方向に吐き出す、いわゆるターボファンを用いている。さらに、本体１ａの下端にベルマウスのような形状を有する吸込口６が設けられている。吸込口６は、送風機の吸い込み端に位置されている。
【００２５】
送風機の吐き出し側となる送風機の周囲に熱交換器が配置されている。熱交換器は、略四角い枠状であり、送風機の周囲を取り囲んでいる。熱交換器の下部に沿ってドレンパンが設けられている。ドレンパンは、空気調和機１を冷房モードで運転した時に、熱交換器の熱交換作用によって生じたドレン水を受ける。ドレンパンに溜まったドレン水は、ドレンポンプによって空気調和機１の外に排水される。
【００２６】
化粧パネル２は、ケーシング３の下端を室内から覆っている。化粧パネル２は、例えば合成樹材を用いて美麗に形成されている。化粧パネル２は、天井パネルＡの下面から室内に露出されているとともに、本体１ａの外周面と天井パネルＡの開口部Ａ１との間の隙間を遮蔽している。
【００２７】
図１および図２に示すように、化粧パネル２は、吸込みグリル４とパネル本体５とを備えている。吸込みグリル４は、化粧パネル２の略中央部に設けられている。吸込みグリル４は、例えば正方形状に形成されているとともに、昇降機構もしくは回動機構を介してケーシング３に取り外し可能に支持されている。パネル本体５は、四つの辺を有する四角い枠状であり、ケーシング３に連結されている。パネル本体５は、吸込みグリル４を周方向に連続して取り囲んでいる。
【００２８】
図１に最もよく示されるように、吸込みグリル４は、パネル本体５に対し下方に向けて僅かに突出している。これにより、吸込みグリル４とパネル本体５とを同一平面の上に位置させる際に、吸込みグリル４とパネル本体５との境界に生じ易い段差を目立たなくすることができる。
【００２９】
図２に示すように、吸込みグリル４は、四角い枠状に形成された周縁部と、周縁部で取り囲まれたグリル部４ａとを備えている。周縁部を規定する四つの片部は、所定の幅を有する細長い平らな板で形成されている。グリル部４ａは、吸込みグリル４の中央部に位置されている。グリル部４ａの裏面に図示しないフィルタが取り外し可能に支持されている。グリル部４ａは、本体１の吸込口６と向かい合っている。
【００３０】
フィルタをメンテナンスする際には、吸込みグリル４を降下させるか、あるいは下向きに回動させる。これにより、本体１の吸込口６が開放されるとともに、吸込みグリル４からフィルタを取り外して床面の上でフィルタを清掃することができる。
【００３１】
図１および図２に示すように、化粧パネル２のパネル本体５は、四つの吹出口７を有している。吹出口７は、熱交換器で熱交換された空気を化粧パネル２の四方向に吹き出す要素であって、パネル本体５の四つの片に夫々設けられている。
【００３２】
具体的に述べると、パネル本体５は、パネル本体５の四つの角部に位置された四つのコーナーカバー４ｃと、隣り合うコーナーカバー４ｃの間に跨る四本のパネル片部４ｂとを備えている。パネル片部４ｂは、吸込みグリル４の周縁部の外側で当該周縁部と平行に延びている。そのため、吸込みグリル４の周縁部、パネル片部４ｂおよび隣り合うコーナーカバー４ｃで囲まれた領域が前記吹出口７を構成している。吸込みグリル４の周方向に隣り合う吹出口７は、コーナーカバー４ｃを間に挟んで互いに直交するような位置関係に保たれている。
【００３３】
図２に示すように、各吹出口７は、吸込みグリル４の周縁部に沿って延びる細長い開口形状を有している。詳しく述べると、吹出口７は、その長手方向に沿う第１の寸法Ｌ１と、幅方向に沿う第２の寸法Ｌ２とを有し、第２の寸法Ｌ２が第１の寸法Ｌ１よりも格段に短く形成されている。さらに、吹出口７は、長手方向に離間した一対の端面ｄを有している。端面ｄは、パネル本体５のコーナーカバー４ｃにより規定されている。端面ｄは、吹出口７の幅方向に延びているとともに、垂直に起立されている。
【００３４】
図５に示すように、吹出口７は、内側壁７ａおよび外側壁７ｂを有している。内側壁７ａは、吹出口７の長手方向に連続する吹出口７の内側面を形成している。同様に、外側壁７ｂは、吹出口７の長手方向に連続する吹出口７の外側面を形成している。内側壁７ａおよび外側壁７ｂは、吹出口７の幅方向に向かい合うとともに、下方に進むに従いパネル本体５の外周部に近づくように傾斜している。
【００３５】
パネル本体５の四つの吹出口７に夫々フラップ８が設けられている。フラップ８は、吹出口７から室内に向けて吹き出す空気の吹き出し方向を変化させる要素であって、以下、フラップ８の構造について説明する。
【００３６】
図３は、フラップ８の斜視図、図４は、図３のＦ４の箇所を拡大して示す斜視図である。さらに、図５は、空気調和機１を冷房モードで運転した時のフラップ８の姿勢を示す断面図である。
【００３７】
フラップ８は、吸込みグリル４およびパネル本体５と同一の材料で形成されている。フラップ８は、吸込みグリル４およびパネル本体５と同一の色とすることが望ましい。
【００３８】
図３に示すように、フラップ８は、吹出口７の開口形状に合致した細長いフラットな板であり、吹出口７の内側にきっちりと嵌り込むような大きさを有している。但し、フラップ８は、吹出口７を開閉する際に支障が生じないように吹出口７よりも若干小さく形成されている。さらに、フラップ８で吹出口７を閉鎖した時に、吹出口７の開口周縁とフラップ８の外周縁との間に目立った隙間が生じることがないように、フラップ８の寸法を設定することが望ましい。
【００３９】
フラップ８は、室内に露出される化粧面８ａと、化粧面８ａの裏側に位置された裏面８ｂと、フラップ８の長手方向に延びた第１の側縁ａおよび第２の側縁ｂと、を有している。化粧面８ａおよび裏面８ｂは、夫々平坦な面となっている。第１の側縁ａは、フラップ８の幅方向に沿う中央部よりも吹出口７から吹き出す空気の流れ方向に沿う上流側に位置されている。第２の側縁ｂは、フラップ８の幅方向に沿う中央部よりも吹出口７から吹き出す空気の流れ方向に沿う下流側に位置されている。
【００４０】
さらに、フラップ８は、第１の端部８ｃ、第２の端部８ｄおよび中間部８ｅを有している。第１の端部８ｃは、フラップ８の長手方向に沿う一端に位置されている。第２の端部８ｄは、フラップ８の長手方向に沿う他端に位置されている。中間部８ｅは、第１の端部８ｃと第２の端部８ｄとの間に位置されている。
【００４１】
フラップ８の第１の端部８ｃに支持壁９ａが形成されている。同様にフラップ８の第２の端部８ｄに支持壁９ｂが形成されている。支持壁９ａ，９ｂは、フラップ８の長手方向に互いに離れているとともに、フラップ８の裏面８ｂから起立されている。支持壁９ａ，９ｂの外側面に夫々支持軸１０ａ，１０ｂが設けられている。支持軸１０ａ，１０ｂは、フラップ８の長手方向に沿う水平線に対し同軸状に並んでいる。
【００４２】
支持軸１０ａ，１０ｂは、吹出口７の内側に設けられた図示しない回転機構に支持されている。そのため、本実施形態では、フラップ８は、支持軸１０ａ，１０ｂを中心として第１の位置と第２の位置との間で回動可能となっている。第１の位置では、フラップ８は、吹出口７を塞ぐように吹出口７の内側で水平に横たわる。第２の位置では、フラップ８は、吹出口７を開放するように吹出口７の内側で起立するようになっている。
【００４３】
図３および図４に示すように、フラップ８の中間部８ｅに補強部１１が一体に形成されている。補強部１１は、フラットな補強板１１ａを有している。補強板１１ａは、フラップ８の第１の側縁ａに沿って延びている。
【００４４】
補強板１１ａの長手方向に沿う両端部に直角に折り曲げられた立ち上がり部１１ｂ，１１ｃが形成されている。立ち上がり部１１ｂ，１１ｃは、フラップ８の幅方向に延びているとともに、その先端がフラップ８の裏面８ｂに固定されている。このため、補強板１１ａは、フラップ８の裏面８ｂと平行に配置されている。
【００４５】
補強板１１ａとフラップ８の裏面８ｂとの間には、立ち上がり部１１ｂ，１１ｃの高さに対応した隙間ｃが形成されている。隙間ｃは、フラップ８の上に狭小な風路１２を規定している。
【００４６】
本実施形態によると、一方の立ち上がり部１１ｂは、フラップ８の裏面８ｂの上で一方の支持壁９ａから離れている。他方の立ち上がり部１１ｃは、フラップ８の裏面８ｂの上で他方の支持壁９ｂから離れている。さらに、補強板１１ａは、フラップ８の第２の側縁ｂから離れている。そのため、フラップ８の裏面８ｂは、補強板１１ａよりも吹出口７から吹き出す空気の流れ方向に沿う下流側に向けて張り出す領域を有している。
【００４７】
図３に示すように、連結リブ１３が補強板１１ａの長手方向に沿う中間部に一体に形成されている。連結リブ１３は、フラップ８の幅方向に延びているとともに、風路１２内で補強板１１ａとフラップ８の裏面８ｂとの間を連結している。言い換えると、連結リブ１３は、補強板１１ａの中間部を支えることで、補強板１１ａの中間部が撓むように変形するのを防止している。
【００４８】
連結リブ１３の数および位置に特に制約はない。連結リブ１３の数が多くなれば、それだけ補強板１１ａの強度が増す代わりに、風路１２内の通風抵抗が増加する。
【００４９】
本実施形態では、フラップ８の肉厚は、補強板１１ａと向かい合う部分を除き一定となっている。具体的には、フラップ８のうち補強板１１ａと向かい合う部分では、第２の側縁ｂから第１の側縁ａの方向に進むに従い肉厚が連続的に減じられている。
【００５０】
したがって、フラップ８のうち補強板１１ａと向かい合う部分は、吹出口７から吹き出す空気の流れ方向に沿う上流側に向けて次第に薄く形成され、吹出口７から吹き出す空気の通風抵抗を極力少なく抑えるように構成されている。
【００５１】
フラップ８の肉厚は、前記のように補強板１１ａに対応した位置で微妙に変化させる必要はなく、例えばフラップ８の全体の肉厚を均一としてもよい。
【００５２】
第１の実施形態の空気調和機１によると、吹出口７に設けられたフラップ８は、吹出口７の開口形状に合致した細長いフラットな板で構成され、室内に露出される化粧面８ａが平坦な面となっている。
【００５３】
そのため、空気調和機１の運転停止に伴ってフラップ８が第１の位置に回動されると、フラップ８が水平となって吹出口７を完全に閉塞する。フラップ８が吹出口７を閉塞した状態では、フラップ８がパネル本体５のパネル片部４ｂおよびコーナーカバー４ｃと同一の平面上に位置し、パネル本体５があたかも一体構造物のように見える。
【００５４】
したがって、空気調和機１が運転を停止した時に、吹出口７を通じて本体１ａの内部が見えることはなく、空気調和機１の外観を良好に維持することができる。
【００５５】
さらに、本実施形態のフラップ８は、吸込みグリル４およびパネル本体５と同一の材料で形成されているとともに、化粧面８ａおよび裏面８ｂの色が互いに同一となっている。そのため、フラップ８、吸込みグリル４およびパネル本体５の一体感が向上し、化粧パネル２を室内から見上げた時に違和感が生じることはない。よって、化粧パネル２の美観が向上し、どのような天井にも合わせられるシンプルでスマートな外観を得ることができる。
【００５６】
空気調和機１が冷房モードで運転を開始すると、フラップ８は、図５に示すようにリモートコトローラ等で設定された所望の角度に回動し、第１の側縁ａが下方を指向する。それとともに、送風機が駆動され、室内の空気が吸込みグリル４から吸込口６を介して本体１ａに吸い込まれる。
【００５７】
本体１ａに吸い込まれた室内の空気は、熱交換器を通過する過程で冷媒と熱交換される。熱交換により温度が低下した空気は、冷風となって吹出口７から室内に吹き出し、室内を冷房する。
【００５８】
吹出口７に設けられたフラップ８は、吹出口７から吹き出す冷風の吹き出し方向を変化させる。具体的に述べると、フラップ８は、その中間部８ｅの裏面８ｂに補強部１１を有するので、吹出口７から吹き出す冷風は、図３および図５に矢印で示すように、フラップ８の化粧面８ａに沿って流れる成分Ｘ１と、補強部１１の狭小な風路１２を通過する成分Ｘ２と、補強部１１の補強板１１ａの上面に沿って流れる成分Ｘ３と、補強部１１を外れた位置でフラップ８の裏面８ｂに沿って流れる成分Ｘ４とに分けられる。
【００５９】
補強部１１の風路１２は、補強板１１ａの立ち上がり部１１ｂ，１１ｃの高さに相当する隙間ｃにより規定されているので、吹出口７の内側で風路面積が絞られている。そのため、冷風の成分Ｘ２は、風路１２を通過する際に絞られ、風路１２を通過する冷風の流速が補強部１１を外れた位置でフラップ８の裏面８ｂに沿って流れる冷風の流速よりも増大する。
【００６０】
言い換えると、フラップ８の中間部８ｅでは、フラップ８によって案内される冷風の流速が速くなり、逆にフラップ８の第１の端部８ｃおよび第２の端部８ｄでは、フラップ８によって案内される冷風の流速が中間部８ｅに比べて遅くなる。
【００６１】
この結果、吹出口７から吹き出す冷風のうちフラップ８の中間部８ｅで案内された冷風は流速が速いので、図３に矢印Ｘ２で示すように指向性が強く、遠くまで届く水平方向の風となる。一方、吹出口７から吹き出す冷風のうち、フラップ８の第１の端部８ｃおよび第２の端部８ｄで案内された冷風は流速が遅いので、図３に矢印Ｘ４で示すようにフラップ８の中間部８ｅで案内された冷風に比べると指向性が弱い。
【００６２】
このため、第１の端部８ｃおよび第２の端部８ｄで案内された冷風は、遠くまで届かずに斜め下方に向かう風となる。斜め下方に向かう風とは、フラップ８の傾斜角度よりも下方、もしくはフラップ８で狙った方向よりも下方に向かう風のことを指している。
【００６３】
したがって、吹出口７から吹き出す冷風を、一つの平板状のフラップ８で水平方向および斜め下方の二方向に案内することができる。
【００６４】
加えて、本実施形態によると、補強部１１から外れたフラップ８の第１の端部８ｃおよび第２の端部８ｄの裏面８ｂがコーナーカバー４ｃと隣り合っている。第１の端部８ｃおよび第２の端部８ｄの裏面８ｂで案内される冷風は、先に述べたように指向性が弱いので、吹出口７の周囲に拡散する。
【００６５】
このため、本実施形態のフラップ８によれば、フラップの長手方向に沿う両端部が一定の幅でカットされた従来のフラップとの比較において、コーナーカバー４ｃの上を通る化粧パネル２の対角線ｅの延長線上においても、吹出口７の斜め下方に向かう冷風の流れを確保することができる。
【００６６】
したがって、室内の塵埃が天井パネルＡの下面に付着するスマッジングの発生を防止することができる。
【００６７】
ところで、吹出口７から吹き出す冷風の吹き出し方向を変化させるフラップ８を細長い平板状に形成した場合、フラップ８の肉厚をある程度厚くしたり、あるいはフラップ８を幅方向に沿って湾曲させないとフラップ８の強度が不足し、フラップ８の変形を招く一つの要因となり得る。
【００６８】
しかるに、第１の実施形態では、平板状のフラップ８の裏面８ｂに補強部１１を設けたので、フラップ８の肉厚をある程度まで薄くしても、フラップ８を幅方向に湾曲させることなくフラップ８の強度を確保できる。
【００６９】
したがって、フラップ８が長手方向に沿って湾曲するのを防止でき、フラップ８の化粧面８ａを平坦な面に形成することができる。よって、フラップ８がシンプルな形状となり、化粧パネル２の外観の向上に寄与する。
【００７０】
［第２の実施形態］
図６は、第２の実施形態を開示している。
【００７１】
第２の実施形態は、空気調和機のフラップ８Ａの構成が第１の実施形態と相違している。フラップ８Ａは、基本的に第１の実施形態と同様の構成を有するので、第１の実施形態と同一の構成要素については同一の参照符号を付して、その説明を省略する。
【００７２】
図６に示すように、フラップ８Ａの第２の側縁ｂに風向ガイド１５が一体に形成されている。風向ガイド１５は、フラップ８Ａの裏面８ｂに沿う空気の流れ方向を変更するリブ状の要素であって、フラップ８Ａに対し吹出口７から吹き出す空気の流れ方向に沿う下流側に位置されている。
【００７３】
さらに、風向ガイド１５は、フラップ８Ａの長手方向に沿う全長に亘って延びているとともに、フラップ８Ａの第２の側縁ｂの箇所で裏面８ｂから立ち上げられている。
【００７４】
本実施形態によると、風向ガイド１５は、補強部１１の位置に対応する中央部１５ａと、フラップ８Ａの第１の端部８ｃの位置に対応する第１の側部１５ｂと、フラップ８Ａの第２の端部８ｄの位置に対応する第２の側部１５ｃと、を有している。
【００７５】
風向ガイド１５の第１の側部１５ｂおよび第２の側部１５ｃの高さＨ１は、中央部１５ａの高さＨ２よりも低く設定されている。そのため、中央部１５ａと第１の側部１５ｂとの境界および中央部１５ａと第２の側部１５ｃとの境界には、夫々風向ガイド１５の高さ方向に沿う段差Ｓが形成されている。
【００７６】
第２の実施形態によると、フラップ８Ａの中間部８ｅで案内された冷風Ｘ２およびフラップ８Ａの第１の端部８ｃおよび第２の端部８ｄで案内された冷風Ｘ４は、フラップ８Ａの下流端となる第２の側縁ｂに達した時点で、第２の側縁ｂから立ち上がった風向ガイド１５に当たる。
【００７７】
この結果、フラップ８Ａの傾斜方向に沿うように吹出口７から斜め下向き案内される冷風は、風向ガイド１５に当たることで吹き出し角度が水平方向に変更される。したがって、フラップ８Ａの開度を広げて吹出口７から室内に吹き出す冷風の風量を十分に確保しつつ、冷風を天井パネルＡの下面に沿うように略水平方向に導くことが可能となり、ドラフト感を緩和することができる。
【００７８】
さらに、フラップ８Ａの風向ガイド１５は、その第１の側部１５ｂおよび第２の側部１５ｃの高さＨ１が中央部１５ａの高さＨ２よりも低い。このため、フラップ８Ａの第１の端部８ｃおよび第２の端部８ｄで案内された冷風Ｘ４は、フラップ８Ａの傾斜方向に沿う斜め下向きの吹き出し方向よりも僅かに水平に近い角度で室内に吹き出すことになる。よって、スマッジングの発生を防止しつつ、ドラフト感の解消に寄与するといった利点がある。
【００７９】
［第２の実施形態の変形例１］
図７は、第２の実施形態と関連性を有する変形例２を開示している。図７に開示されたフラップ８Ｂは、基本的に第２の実施形態のフラップ８Ａと同様の構成を有している。そのため、変形例１において、第２の実施形態と同一の構成要素には同一の参照符号を付して、その説明を省略する。
【００８０】
変形例１に開示されたフラップ８Ｂでは、フラップ８Ｂの風向ガイド１５の高さＨがフラップ８Ｂの長手方向に沿う全長に亘って一定となっている。それ以外の構成は、第２の実施形態のフラップ８Ａと同様である。
【００８１】
変形例１によれば、フラップ８Ｂの中間部８ｅで案内された冷風Ｘ２およびフラップ８Ｂの第１の端部８ｃおよび第２の端部８ｄで案内された冷風Ｘ４は、共にフラップ８Ｂの下流端となる第２の側縁ｂに達した時点で風向ガイド１５に当たる。
【００８２】
この結果、フラップ８Ｂの傾斜方向に沿うように吹出口７から斜め下向き案内される冷風は、風向ガイド１５に当たることで吹き出し角度が水平方向に変更される。したがって、フラップ８Ｂの開度を広げて吹出口７から室内に吹き出す冷風の風量を十分に確保しつつ、冷風を天井パネルＡの下面に沿うように略水平方向に導くことが可能となり、ドラフト感を緩和することができる。
【００８３】
［第２の実施形態の変形例２］
図８は、第２の実施形態と関連性を有する変形例２を開示している。
【００８４】
変形例２に開示されたフラップ８Ｃでは、風向ガイド１５がフラップ８Ｃの第２の側縁ｂのうち補強部１１の下流側に対向する領域にのみ設けられている。そのため、フラップ８Ｃの裏面８ｂのうち、フラップ８Ｃの第１の端部８ｃおよび第２の端部８ｄに対応する領域は、単なる平坦な面となっている。
【００８５】
変形例２によると、吹出口７から吹き出す冷風は、その長手方向に沿う中央部から吹き出す冷風が主流となり、吹出口７の長手方向に沿う両端部から吹き出す冷風が傍流となる。冷風の主流は、傍流よりも流速が速いために、吹出口７の内側で傾斜されたフラップ８Ｃの補強板１１ａの上面に当たることで、吹き出し角度が水平方向に変更される。それとともに、冷風の主流は、補強部１１の風路１２を通過する際に絞られるので、流速がより増大する。
【００８６】
補強板１１ａの上面に当たった冷風の主流および風路１２を通過した冷風の主流は、フラップ８Ｃの下流端に達した時点で風向ガイド１５に当たる。この結果、フラップ８Ｃの傾斜方向に沿うように吹出口７から斜め下向き案内される冷風の主流は、風向ガイド１５に当たることで吹き出し角度が水平方向に変更される。
【００８７】
したがって、フラップ８Ｃの開度を広げて吹出口７から室内に吹き出す冷風の風量を十分に確保しつつ、冷風の主流を天井パネルＡの下面に沿うように導くことが可能となり、ドラフト感を緩和することができる。
【００８８】
一方、主流よりも流速が遅い冷風の傍流は、フラップ８Ｃの第１の端部８ｃおよび第２の端部８の裏面８ｂに沿って流れる。第１の端部８ｃおよび第２の端部８の裏面８ｂの下流端に風向ガイド１５は存在しないので、冷風の傍流は、フラップ８Ｃの傾斜角度よりも下方、もしくはフラップ８Ｃで狙った方向よりも下方に向けて拡散するように流れる。
【００８９】
したがって、吹出口７から吹き出す冷風を、一つの平板状のフラップ８Ｃで水平方向および斜め下方の二方向に案内することができ、冷風を天井から室内の広範囲に導くことができる。
【００９０】
さらに、変形例２によると、第１の端部８ｃおよび第２の端部８ｄの裏面８ｂで案内される冷風は、先に述べたように吹出口７の斜め下方に向けて拡散する。このため、化粧パネル２の対角線ｅの延長線上においても、吹出口７の斜め下方に向かう冷風の流れを確保することができる。
【００９１】
したがって、室内の塵埃が天井パネルＡの下面に付着するスマッジングの発生を防止することができる。
【００９２】
［第２の実施形態の変形例３］
図９は、第２の実施形態と関連性を有する変形例３を開示している。図９に開示されたフラップ８Ｄは、基本的に第２の実施形態のフラップ８Ａと同様の構成を有している。そのため、変形例３において、第２の実施形態と同一の構成要素には同一の参照符号を付して、その説明を省略する。
【００９３】
図９に示すように、フラップ８Ｄの裏面８ｂのうち、フラップ８Ｄの第１の端部８ｃおよび第２の端部８ｄに対応した領域に夫々断熱材２０が貼り付けられている。断熱材２０としては、例えば板状の発泡ウレタン材を用いることができる。
【００９４】
変形例３によると、前記変形例２で述べたように、流速が遅い冷風の傍流は、フラップ８Ｄの第１の端部８ｃおよび第２の端部８ｄの裏面８ｂに沿って流れる。この際、吹出口７から吹き出す冷風の風量が極僅かであると、風量が僅かな冷風は、フラップ８Ｄの化粧面８ａにも導かれる。ここで、冷風の設定温度が低い場合には、フラップ８Ｄの化粧面８ａのうちフラップ８Ｄの第１の端部８ｃおよび第２の端部８ｄに対応した領域に結露が生じることがあり得る。
【００９５】
変形例３のフラップ８Ｄでは、第１の端部８ｃおよび第２の端部８ｄの裏面８ｂに夫々断熱材２０が貼り付けられている。そのため、化粧面８ａに温度差に基づく結露が生じるのを回避でき、室内に結露が滴下することはない。
【００９６】
なお、変形例３で開示した断熱材２０は、第１の実施形態のフラップ８、第２の実施形態のフラップ８Ａ、変形例１のフラップ８Ｂおよび変形例２のフラップ８Ｃにおいても同様に適用が可能である。
【００９７】
［第３の実施形態］
図１０は、第３の実施形態を開示している。第３の実施形態は、化粧パネル２の吹出口７の構成が第１の実施形態と相違している。それ以外の構成は、基本的に第１の実施形態と同様である。そのため、第３の実施形態において、第１の実施形態と同一の構成要素については同一の参照符号を付して、その説明を省略する。
【００９８】
図１０に示すように、吹出口７の外側面を形成する外側壁７ｂに垂直部３０が形成されている。垂直部３０は、外側壁７ｂの高さ方向に沿う中間部に位置された垂直面３０ａを有している。垂直面３０ａは、吹出口７に露出されているとともに、フラップ８が斜め下向きに回動された時に、丁度フラップ８の補強板１１ａと向かい合う位置に設けられている。
【００９９】
そのため、図１０に示すように、フラップ８が斜め下向きに回動された状態では、フラップ８の裏面８ｂのうち第２の側縁ｂに連続する下流部分が垂直面３０ａの直下に位置されている。
【０１００】
第３の実施形態によると、吹出口７から吹き出す冷風のうち、吹出口７の長手方向に沿う中央部から吹き出す冷風の主流は、図１０に矢印で示すように、外側壁７ｂの垂直面３０ａに当たって流れ方向が下方に向けて垂直となるように変化する。垂直面３０ａの直下には、フラップ８の裏面８ｂのうち第２の側縁ｂに連続する下流部分が位置されている。このため、垂直面３０ａで吹出口７の真下を向くように案内された冷風の主流は、フラップ８の裏面８ｂの下流部分に当たることで、傾斜されたフラップ８に沿って斜め下方に案内される。
【０１０１】
したがって、吹出口７から室内に吹き出す冷風の主流を、フラップ８の裏面８ｂに積極的に導くことができ、冷風の吹き出し方向をフラップ８で確実にコントロールすることができる。
【０１０２】
［第４の実施形態］
図１１は、第４の実施形態を開示している。第４の実施形態は、第３の実施形態のフラップ８の代わりに図７に開示されたフラップ８Ｂを適用した点が第３の実施形態と相違している。フラップ８Ｂが設けられた吹出口７の構成は、第３の実施形態と同様である。
【０１０３】
第４の実施形態によると、フラップ８Ｂは、第２の側縁ｂから立ち上がる風向ガイド１５を備えている。傾斜されたフラップ８Ｂの裏面８ｂに沿って流れる冷風は、フラップ８Ｂの下流端となる第２の側縁ｂに達した時点で風向ガイド１５に当たる。
【０１０４】
この結果、フラップ８Ｂの傾斜方向に沿うように吹出口７から斜め下向き案内される冷風は、風向ガイド１５に当たることで吹き出し角度が水平方向に変更される。したがって、フラップ８の開度を広げて吹出口７から室内に吹き出す冷風の風量を十分に確保した状態においても、冷風を天井パネルＡの下面に沿うように略水平方向に導くことが可能となる。
【０１０５】
よって、第３の実施形態と同様に、冷風の吹き出し方向を確実にコントロールすることができ、ドラフト感を緩和する上で有利な構成となる。
【０１０６】
［第５の実施形態］
図１２ないし図１４は、第５の実施形態を開示している。第５の実施形態は、吹出口７の内部の構造が第１の実施形態と相違しており、それ以外の構成は基本的に第１の実施形態と同様である。第５の実施形態では、図６に開示されたフラップ８Ａを用いているが、図３に開示されたフラップ８、図７に開示されたフラップ８Ｂ、図８に開示されたフラップ８Ｃ、図９に開示されたフラップ８Ｄを用いてもよく、フラップの形態に特に制約はない。
【０１０７】
第５の実施形態において、図１２は、化粧パネルの平面図であり、フラップは図示を省略している。図１３は、化粧パネルと吹出口との位置関係を示す斜視図、図１４は、吹出口の端面の付近から吹き出す冷風の吹き出し経路を示す断面図である。
【０１０８】
図１２ないし図１４に示すように、吹出口７の長手方向に離間した両端部にブロック部４０が設けられている。ブロック部４０は、吹出口７の端面ｄと隣り合った位置で吹出口７の幅方向に亘って設けられている。ブロック部４０の中央部には、フラップ８Ａを避ける凹部４１が設けられている。このため、ブロック部４０がフラップ８Ａと干渉し合うことはなく、フラップ８Ａの回動に支障が生じることはない。
【０１０９】
さらに、ブロック部４０は、パネル本体５の下面から突出することなく吹出口７の奥方に引っ込んでいる。ブロック部４０の下面４０ａは、端面ｄと直交し合う水平な面となっている。
【０１１０】
第５の実施形態によると、吹出口７の内側壁７ａおよび外側壁７ｂは、吹出口７の下方に進むに従い化粧パネル２の外周部に近づくように傾斜されているので、冷風の吹き出し方向が斜め下向きとなる。これに対し、吹出口７の端面ｄは垂直に起立しているので、吹出口７から吹き出す冷風の一部は、端面ｄに沿って吹出口７の真下に向かう。
【０１１１】
吹出口７の端面ｄは、パネル本体５のコーナーカバー４ｃで規定されているので、端面ｄに沿って吹出口７の真下に向かう冷風は、コーナーカバー４ｃの下面の方向に拡散し難くなる。言い換えると、コーナーカバー４ｃの下面が冷風に晒され難くなり、空気調和機１の運転条件によっては、コーナーカバー４ｃの下面に結露が発生する虞があり得る。
【０１１２】
本実施形態では、吹出口７の端面ｄと隣り合った位置にブロック部４０が設けられている。このため、図１３および図１４に矢印で示すように、吹出口７の端面ｄの付近から吹き出す冷風の一部は、ブロック部４０に当たるとともに、ブロック部４０の下面４０ａに沿って略水平に流れるように吹き出し方向が変更される。
【０１１３】
この結果、ブロック部４０の存在によりコーナーカバー４ｃに向けて冷風が流れることになり、コーナーカバー４ｃに結露が発生するのを阻止できる。
【０１１４】
［参考例］
図１５ないし図１７は、本発明と関連性を有する参考例を開示している。
【０１１５】
図１５は、吹出口の箇所を拡大した空気調和機の断面図、図１６は、フラップの平面図、図１７は、フラップの側面図である。
【０１１６】
図１５に白抜きの矢印で示すように、本体１ａの熱交換器Ｎで熱交換された空気は、送風機の作用で冷風となって吹出口７に導かれる。吹出口７は、既に説明したように内側壁７ａおよび外側壁７ｂが吹出口７の下方に進むに従い化粧パネル２の外周部に近づくように傾斜されているので、冷風は内側壁７ａおよび外側壁７ｂに沿うように吹出口７から斜め下方に吹出す。
【０１１７】
吹出口７に設けられたフラップ８Ｅは、吹出口７から吹き出す冷風を二方向に案内するように構成されている。具体的に述べると、フラップ８Ｅは、その長手方向の寸法に対して幅方向の寸法が極端に短いとともに、室内に露出する化粧面８ａが全体的に凹凸のない形状を有している。この点については、第１の実施形態のフラップ８と同一である。
【０１１８】
参考例のフラップ８Ｅでは、一対の支持軸１０ａ，１０ｂがフラップ８Ｅの第１の側縁ａの延長線上に互いに同軸状に設けられている。それとともに、フラップ８Ｅの化粧面８ａがその幅方向に沿う中央部で下向きに凸となるように若干湾曲されている。
【０１１９】
さらに、第１の風向案内部５１、第２の風向案内部５２および第３の風向案内部５３がフラップ８Ｅの裏面８ｂに形成されている。第１の風向案内部５１は、フラップ８Ｅの長手方向に沿う中間部８ｅに位置されている。第１の風向案内部５１は、吹出口７から吹き出す冷風を受ける平坦な第１の案内面５１ａを有している。
【０１２０】
第２の風向案内部５２は、フラップ８Ｅの第１の端部８ｃに位置されている。第２の風向案内部５２は、吹出口７から吹き出す冷風を受ける第２の案内面５２ａを有している。第３の風向案内部５３は、フラップ８Ｅの第２の端部８ｃに位置されている。第３の風向案内部５３は、吹出口７から吹き出す冷風を受ける第３の案内面５３ａを有している。第２の案内面５２ａおよび第３の案内面５３ａは、化粧面８ａに沿うように円弧状に湾曲されている。
【０１２１】
さらに、第１の風向案内部５１にあっては、その肉厚が第２の風向案内部５２および第３の風向案内部５３の肉厚よりも厚く形成されている。そのため、第１の風向案内部５１と第２の風向案内部５２との境界および第１の風向案内部５１と第３の風向案内部５３との境界には、夫々フラップ８Ｅの厚さ方向に沿う段差５４ａ，５４ｂが形成されている。
【０１２２】
図１５に示すように、フラップ８Ｅが冷風を吹出口７の斜め下方に導くように傾斜した状態では、第１の風向案内部５１の第１の案内面５１ａが第２の風向案内部５２の第２の案内面５２ａおよび第３の風向案内部５３の第３の案内面５３ａよりも上方に位置されている。
【０１２３】
そのため、第１の風向案内部５１の第１の案内面５１ａに沿って案内される冷風が主流となり、第２の風向案内部５２の第２の案内面５２ａおよび第３の風向案内部５３の第３の案内面５３ａに沿って案内される冷風は、冷風の主流よりも下方に向かう傍流となる。
【０１２４】
すなわち、吹出口７の長手方向に沿う中央部から吹き出す冷風の主流をフラップ８Ｅの第１の案内面５１ａで案内することにより、吹出口７から略水平方向に導かれる冷風の主流の風量を確保し、ドラフト感の解消を図ることができる。
【０１２５】
さらに、吹出口７の長手方向に沿う両端部から吹き出す冷風の傍流を第２の案内面５２ａおよび第３の案内面５３ａで案内することにより、冷風の傍流を室内に拡散させることができる。これにより、化粧パネル２の対角線ｅの延長線上で発生し易いスマッジングを抑制することができる。
【０１２６】
図１６に示すように、第２の風向案内部５２および第３の風向案内部５３の長手方向に沿う長さをｆとした時、第１の風向案内部５１の長手方向の中央を通る中心線ｇから第２の風向案内部５２の端縁までの長さＬおよび第３の風向案内部５３の端縁までの長さＬは、夫々
Ｌ≧１．５×ｆとすることが望ましい。
【０１２７】
種々の実験データから求めた結果、長さｆおよび長さＬを前記のように規定することで、フラップ８Ｅの第１の風向案内部５１で略水平方向に導かれる冷風の風量を十分に確保できる。それとともに、フラップ８Ｅの第２の風向案内部５２および第３の風向案内部５３で斜め下向きに案内される冷風の風量を最小限に抑えることができる。
【０１２８】
図１７に示すように、第２の風向案内部５２の第２の案内面５２ａを基準とした時に、第１の風向案内部５１の第１の案内面５１ａは、５°盛り上がっていることが望ましい。
【０１２９】
種々の実験データから求めた結果、第１の案内面５１ａを第２の案内面５２ａに対し５°盛り上げることで、第１の風向案内部５１の第１の案内面５１ａによって略水平方向に導かれる冷風の風量を十分に確保できる。それとともに、第１の案内面５１ａで案内される冷風と、第２の案内面５２ａおよび第３の案内面５３ａで案内される冷風との間の風向きのずれを最小限に抑えることができる。
【０１３０】
一方、前記第１の実施形態によると、フラップ８で吹出口７を完全に閉じた状態では、フラップ８の化粧面８ａがパネル本体５の下面と同一の面上に位置される。これに対し、参考例のフラップ８Ｅによると、フラップ８Ｅの第１の側縁ａの延長線上にフラップ８Ｅが回動する際の中心となる支持軸１０ａ，１０ｂが同軸状に設けられている。このため、フラップ８Ｅで吹出口７を完全に閉じた状態では、フラップ８Ｅの化粧面８ａは、その第１の側縁ａからフラップ８Ｅの幅方向に沿う略半分程度の領域がパネル本体５の下面と同一の面上に位置され、化粧面８ａの残りの部分がパネル本体５の下面よりも吹出口７の内側に入り込む。
【０１３１】
この場合、第１の実施形態のフラップ８と同様に、フラップ８Ｅの第１の端部８ｃおよび第２の端部８ｄに支持壁９ａ，９ｂを形成するとともに、支持壁９ａ，９ｂの外側面に夫々支持軸１０ａ，１０ｂを設けることで、フラップ８Ｅを湾曲させることなく細長いフラットな板状に形成することができる。
【０１３２】
これにより、フラップ８Ｅで吹出口７を完全に閉じた時に、フラップ８Ｅの化粧面８ａをパネル本体５の下面と同一の面上に位置させることができる。
【０１３３】
以上、幾つかの実施形態を説明したが、上述の実施形態は例として提示したものであり、実施形態の範囲を限定することを意図していない。この新規な実施形態は、その他の様々な形態で実施することが可能であり、発明の要旨を逸脱しない範囲内で種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【０１３４】
１…空気調和機、１ａ…本体、２…化粧パネル、７…吹出口、８，８Ａ，８Ｂ，８Ｃ，８Ｄ，８Ｅ…フラップ、８ａ…化粧面、８ｂ…裏面、１１…補強部、１１ａ…補強板、１２…風路、１５…風向ガイド。
【図１】
2015111281.tif 000003
【図２】
2015111281.tif 000004
【図３】
2015111281.tif 000005
【図４】
2015111281.tif 000006
【図５】
2015111281.tif 000007
【図６】
2015111281.tif 000008
【図７】
2015111281.tif 000009
【図８】
2015111281.tif 000010
【図９】
2015111281.tif 000011
【図１０】
2015111281.tif 000012
【図１１】
2015111281.tif 000013
【図１２】
2015111281.tif 000014
【図１３】
2015111281.tif 000015
【図１４】
2015111281.tif 000016
【図１５】
2015111281.tif 000017
【図１６】
2015111281.tif 000018
【図１７】
2015111281.tif 000019
【手続補正書】
【提出日】平成28年10月18日(2016.10.18)
【手続補正１】
【補正対象書類名】明細書
【補正対象項目名】００１６
【補正方法】変更
【補正の内容】
【００１６】
実施形態によれば、空気調和機は、天井裏に据え付けられた本体と、前記本体の下端に取り付けられ、天井から室内に露出されるとともに、室内に空気を吹き出す細長い吹出口が設けられた化粧パネルと、前記吹出口に設けられ、前記吹出口に合致した細長い形状を有する平板状のフラップと、を具備し、
前記フラップは、前記吹出口の内側で前記フラップの長手方向に沿う一端に位置された第１の端部と、前記吹出口の内側で前記フラップの長手方向に沿う他端に位置された第２の端部と、前記吹出口の内側で前記第１の端部と前記第２の端部との間に位置された中間部と、を有し、当該フラップを前記吹出口の内側で回動させることにより、前記吹出口から吹き出す空気の吹き出し方向を変化させるように構成されている。
【手続補正２】
【補正対象書類名】明細書
【補正対象項目名】００１７
【補正方法】変更
【補正の内容】
【００１７】
前記フラップは、室内に露出される化粧面と、前記化粧面の裏側に位置された裏面と、前記裏面に設けられ、前記フラップの前記中間部に対応した位置で前記フラップを補強する補強部と、を含む。
【手続補正３】
【補正対象書類名】明細書
【補正対象項目名】００１８
【補正方法】変更
【補正の内容】
【００１８】
前記補強部は、前記フラップの前記中間部に対応した位置で前記裏面と向かい合う補強板を有し、当該補強板と前記裏面との間に前記吹出口から吹き出す空気が通過するとともに当該空気を絞る風路が設けられている。
【手続補正４】
【補正対象書類名】明細書
【補正対象項目名】００５６
【補正方法】変更
【補正の内容】
【００５６】
空気調和機１が冷房モードで運転を開始すると、フラップ８は、図５に示すようにリモートコントローラ等で設定された所望の角度に回動し、第２の側縁ｂが下方を指向する。それとともに、送風機が駆動され、室内の空気が吸込みグリル４から吸込口６を介して本体１ａに吸い込まれる。
【手続補正５】
【補正対象書類名】明細書
【補正対象項目名】０１３４
【補正方法】変更
【補正の内容】
【０１３４】
１…空気調和機、１ａ…本体、２…化粧パネル、７…吹出口、８，８Ａ，８Ｂ，８Ｃ，８Ｄ，８Ｅ…フラップ、８ａ…化粧面、８ｂ…裏面、８ｃ…第１の端部、８ｄ…第２の端部、８ｅ…中間部、１１…補強部、１１ａ…補強板、１２…風路、１５…風向ガイド。
【手続補正６】
【補正対象書類名】特許請求の範囲
【補正対象項目名】請求項１
【補正方法】変更
【補正の内容】
【請求項１】
天井裏に据え付けられた本体と、
前記本体の下端に取り付けられ、天井から室内に露出されるとともに、室内に空気を吹き出す細長い吹出口が設けられた化粧パネルと、
前記吹出口に設けられ、前記吹出口に合致した細長い形状を有する平板状のフラップと、を具備し、
前記フラップは、前記吹出口の内側で前記フラップの長手方向に沿う一端に位置された第１の端部と、前記吹出口の内側で前記フラップの長手方向に沿う他端に位置された第２の端部と、前記吹出口の内側で前記第１の端部と前記第２の端部との間に位置された中間部と、を有し、当該フラップを前記吹出口の内側で回動させることにより、前記吹出口から吹き出す空気の吹き出し方向を変化させるようにした空気調和機であって、
前記フラップは、室内に露出される化粧面と、前記化粧面の裏側に位置された裏面と、前記裏面に設けられ、前記フラップの前記中間部に対応した位置で前記フラップを補強する補強部と、を含み、
前記補強部は、前記フラップの前記中間部に対応した位置で前記裏面と向かい合う補強板を有し、当該補強板と前記裏面との間に前記吹出口から吹き出す空気が通過するとともに当該空気を絞る風路が設けられた空気調和機。
【手続補正７】
【補正対象書類名】特許請求の範囲
【補正対象項目名】請求項２
【補正方法】変更
【補正の内容】
【請求項２】
前記補強部の前記風路を通過する空気の流速が、前記フラップの前記第１の端部および前記第２の端部に対応した位置で前記裏面に沿って流れる空気の流速よりも大きい請求項１に記載の空気調和機。
【手続補正８】
【補正対象書類名】特許請求の範囲
【補正対象項目名】請求項６
【補正方法】変更
【補正の内容】
【請求項６】
前記吹出口は、前記吹出口の幅方向に向かい合う内側壁および外側壁を有し、前記内側壁および前記外側壁は、前記吹出口の下方に進むに従い前記化粧パネルの外周部に近づくように傾斜されているとともに、前記外側壁の高さ方向に沿う中間部に前記吹出口から吹き出す空気の流れ方向を下向きに案内する垂直部が設けられた請求項４に記載の空気調和機。
【手続補正９】
【補正対象書類名】特許請求の範囲
【補正対象項目名】請求項９
【補正方法】変更
【補正の内容】
【請求項９】
天井裏に据え付けられた本体と、
前記本体の下端に取り付けられ、天井から室内に露出されるとともに、室内に空気を吹き出す細長い吹出口が設けられた化粧パネルと、
前記吹出口に設けられ、前記吹出口に合致した細長い形状を有する平板状のフラップと、を具備し、
前記フラップは、前記吹出口の内側で前記フラップの長手方向に沿う一端に位置された第１の端部と、前記吹出口の内側で前記フラップの長手方向に沿う他端に位置された第２の端部と、前記吹出口の内側で前記第１の端部と前記第２の端部との間に位置された中間部と、を有し、当該フラップを前記吹出口の内側で回動させることにより、前記吹出口から吹き出す空気の吹き出し方向を変化させるようにした空気調和機であって、
前記フラップは、室内に露出される化粧面と、前記化粧面の裏側に位置された裏面と、前記裏面に設けられ、前記フラップの前記中間部に対応した位置で前記フラップを補強する補強部と、を含み、
前記補強部は、前記フラップの前記中間部に対応した位置で前記裏面と向かい合う補強板を有し、当該補強板と前記裏面との間に、前記吹出口から吹き出す空気が通過するとともに当該空気を絞る風路が設けられ、
前記吹出口から吹き出す空気の流れ方向に沿う下流側に位置された前記フラップの側縁に、前記フラップの前記裏面から立ち上がる風向ガイドが設けられた空気調和機。
【手続補正１０】
【補正対象書類名】特許請求の範囲
【補正対象項目名】請求項１０
【補正方法】変更
【補正の内容】
【請求項１０】
前記風向ガイドは、前記補強部の位置に対応した中央部と、前記第１の端部の位置に対応した第１の側部と、前記第２の端部の位置に対応した第２の側部と、を含み、前記風向ガイドの前記第１の側部の高さおよび前記第２の側部の高さが前記中央部の高さよりも低く設定された請求項９に記載の空気調和機。
【国際調査報告】
2015111281.tif 000020
2015111281.tif 000021
2015111281.tif 000022
2015111281.tif 000023